(57)【要約】【課題】扉や引出しを開放する際に、ラッチを解除するために引手部を引く操作又は押手部を押す操作、あるいは両押し引き同時操作を使い勝手に応じて選択できる機能を備え、しかもその機能を部品点数が少なく簡単な構造にて、コスト上昇を抑制して実現することが可能なラッチ駆動用引手装置を提供する。【解決手段】収納庫の開閉扉や引出しの前板等の可動板体２に取付け、ラッチ１２を解除する駆動機構を備えたラッチ駆動用引手装置であって、可動板体の表面側に開口部７を向けて引手枠６を取付けるとともに、引手枠内に回動軸９の両側に引手部１０と押手部１１をそれぞれ設けた操作体８を配し、且つ回動軸を引手枠の開口部内の適所に設定してなる。【選択図】        図２
2004270312.tif 000002
【特許請求の範囲】
【請求項１】
収納庫の開閉扉や引出しの前板等の可動板体に取付け、ラッチを解除する駆動機構を備えたラッチ駆動用引手装置であって、前記可動板体の表面側に開口部を向けて引手枠を取付けるとともに、該引手枠内に回動軸の両側に引手部と押手部をそれぞれ設けた操作体を配し、且つ前記回動軸を引手枠の開口部内の適所に設定してなることを特徴とするラッチ駆動用引手装置。
【請求項２】
前記可動板体の背面側に前記収納庫の筐体に対して係脱可能なラッチを設け、前記回動軸の端部に設けた駆動部を、前記ラッチを駆動する従動部に当接連係させてなる請求項１記載のラッチ駆動用引手装置。
【請求項３】
前記操作体は、前記引手部と押手部とを前記回動軸の両側に板状に一体形成したものであり、該操作体の全体を前記引手枠の開口部に臨ませてなる請求項１又は２記載のラッチ駆動用引手装置。
【請求項４】
前記ラッチが前記収納庫の筐体に係合した状態において、前記押手部に前記可動板体の表面から突出する指当部を設けてなる請求項１〜３何れかに記載のラッチ駆動用引手装置。
【請求項５】
前記引手部の指掛部の端縁が前記回動軸側に配向したものである請求項１又は２記載のラッチ駆動用引手装置。
【請求項６】
前記引手部の指掛部が、前記引手枠の開口部外若しくは前記可動板体の内部に位置してなる請求項５記載のラッチ駆動用引手装置。
【発明の詳細な説明】
【０００１】
【発明の属する技術分野】
本発明は、ラッチ駆動用引手装置に係わり、更に詳しくはキャビネットの扉や引出しを開放する際にラッチを解除する駆動機構を備えたラッチ駆動用引手装置に関するものである。
【０００２】
【従来の技術】
従来、特許文献１には、扉面と平行かつ上下方向の軸を中心として回転可能に設けられるとともに大きくとも９０°の回転範囲内で錠前にラッチ操作を与え得るカムと、このカムと同軸一体的に回転可能に設けられると共に該軸を挟んで両側に偏平状の操作板が形成されたハンドルと、扉に対し、少なくとも一部埋め込まれ、かつハンドルを略中央に収容する凹部を有する薄型ハンドルケースとからなるドアハンドル構造が開示されている。
【０００３】
更に詳しくは、前述のハンドルは、軸芯から左側に親指が当接される偏平操作板としての親指押圧部を突設するとともに、軸芯から右側に偏平操作板としての把持孔を有する把持部を突設したものである。そして、ハンドル操作時には、親指押圧部に親指を当てて押し込むとともに、他の四指をハンドルとケースの間に挿入して把持部を把持して操作するのである。
【０００４】
しかし、特許文献１に記載のものは、右手で扉を開放するには、先ず親指で押圧部を押して、操作板を回転させてラッチを解除した後、手前側に回動して出てきた把持部に四指を掛けて引く操作をする必要があり、少なくとも右手では引く操作のみでは扉を開放することができない。但し、左手では、四指を把持孔に挿入して把持部を親指で挟み、引く操作で扉を開放することができるが、押し操作で開放することができない。
【０００５】
【特許文献１】実公昭５６−６６０５号公報
【０００６】
【発明が解決しようとする課題】
本発明が前述の状況に鑑み、解決しようとするところは、扉や引出しを開放する際に、ラッチを解除するために引手部を引く操作又は押手部を押す操作、あるいは両押し引き同時操作を使い勝手に応じて選択できる機能を備え、しかもその機能を部品点数が少なく簡単な構造にて、コスト上昇を抑制して実現することが可能なラッチ駆動用引手装置を提供する点にある。
【０００７】
【課題を解決するための手段】
本発明は、前述の課題解決のために、収納庫の開閉扉や引出しの前板等の可動板体に取付け、ラッチを解除する駆動機構を備えたラッチ駆動用引手装置であって、前記可動板体の表面側に開口部を向けて引手枠を取付けるとともに、該引手枠内に回動軸の両側に引手部と押手部をそれぞれ設けた操作体を配し、且つ前記回動軸を引手枠の開口部内の適所に設定してなるラッチ駆動用引手装置を構成した。
【０００８】
ここで、前記可動板体の背面側に前記収納庫の筐体に対して係脱可能なラッチを設け、前記回動軸の端部に設けた駆動部を、前記ラッチを駆動する従動部に当接連係させてなることが組立容易性の観点から好ましい。
【０００９】
また、前記操作体は、前記引手部と押手部とを前記回動軸の両側に板状に一体形成したものであり、該操作体の全体を前記引手枠の開口部に臨ませてなることが好ましい。
【００１０】
更に、前記ラッチが前記収納庫の筐体に係合した状態において、前記押手部に前記可動板体の表面から突出する指当部を設けてなることがより好ましい。
【００１１】
また、前記引手部の指掛部の端縁が前記回動軸側に配向したものであることも好ましい。その場合、前記引手部の指掛部が、前記引手枠の開口部外若しくは前記可動板体の内部に位置してなることが、操作性及び外観性の観点から好ましい。
【００１２】
【発明の実施の形態】
次に本発明の実施の形態を添付図面に基づき更に詳細に説明する。図１は、本発明に係るラッチ駆動用引手装置を適用した収納庫Ａを示し、図中符号１は、収納庫の筐体、２ａは開閉扉（可動板体２）、２ｂは引出しの前板（可動板体２）、３は引手装置をそれぞれ示している。ここで、本願発明においては引手装置３を開閉扉２ａに設ける場合と、引出しの前板２ｂに設ける場合とで基本的に同じであるので、それらを可動板体２として総括して説明する。また、本願発明は、収納庫Ａに設けた開閉扉２ａや引出しの前板２ｂへの適用に限定されるものではなく、可動板体２の概念は広く捉えるべきである。
【００１３】
先ず、本発明の第１実施形態を図２〜図５に基づいて説明する。前記可動板体２は、スチール板で作成して所定厚さを有する内部中空の板体であり、表面板４の適所に切欠開口５を形成している。そして、引手装置３は、引手枠６をその開口部７を表面側に向けて前記切欠開口５に取付けるとともに、該引手枠６内に回動軸９の両側に引手部１０と押手部１１をそれぞれ設けた操作体８を配して構成した。ここで、前記回動軸９は、前記引手枠６の開口部７内の略中心部を通るように設定している。
【００１４】
そして、前記可動板体２の背面側には、前記収納庫Ａの筐体１に対して係脱可能なラッチ１２を設け、前記回動軸９の端部に設けた駆動部１３を、前記ラッチ１２を駆動する従動部１４に当接連係させている。
【００１５】
更に詳しくは、前記引手枠６は、合成樹脂製で成形され、表面側周囲に前記可動板体２の切欠開口５に係合する取付縁１５を形成し、開口部７内の一側部に指を挿入する深い指入れ空間１６を形成し、適宜前記回動軸９を回動可能に支持する軸受部を両側に設けている。また、前記操作体８は、前記引手部１０と押手部１１とを合成樹脂製で板状に一体形成したものであり、中央部に金属製の前記回動軸９を相対回転不能に嵌合する嵌合部１７を形成し、該回動軸９の両側に前記引手部１０と押手部１１とが位置し、該操作体８の全体を前記引手枠６の開口部７に臨ませて装着している。
【００１６】
更に、図３に示すように、前記ラッチ１２が前記収納庫Ａの筐体１の框部に係合した状態において、前記操作体８の押手部１１に前記可動板体２の表面から突出する指当部１８を設けている。前記指当部１８を押手部１１に設けることにより、指で押す位置が明確となるとともに、引手部１０との区別が容易になる。
【００１７】
また、前記引手部１０は、前記回動軸９から離れた側に位置し、該引手部１０の端部と前記引手枠６の一側端部との間には、指を挿入するのに十分な隙間を設け、前記指入れ空間１６に指を入れ、当該引手部１０の背面を手前に引き、前記回動軸９を一方向へ回転させることができるようになっている。一方、前記押手部１１の指当部１８に指を当てて押し込むことで、前記回動軸９を同じく一方向へ回転させることができる。つまり、前記引手部１０を引く操作と、前記押手部１１を押す操作は、前記回動軸９を同じ方向へ回転させる作用をなすので、親指を前記押手部１１の指当部１８に当て、他の指を引手部１０の背面に差し入れ、押し引き操作を同時に行うことも可能である。
【００１８】
ここで、前記回動軸９は、前記可動板体２の内部に立起形成した軸受板１９に回動可能に支持されており、その端部は略直角に折曲して前記駆動部１３を形成している。一方、前記ラッチ１２は、前記可動板体２の内部の端縁に沿って回動可能に配した支軸２０の一端部に相対回転不能に取付けて、内外揺動可能となっており、当該ラッチ１２が筐体１の框部に係合する方向に弾性付勢手段２１によって常時付勢している。ここで、本実施形態では、弾性付勢手段２１として、ラッチ１２とともに合成樹脂製で一体成形した板ばね片を用い、該板ばね片の成形時からの弾性変形の復元力を利用している。そして、前記支軸２０の他端部は略直角に折曲して前記従動部１４となしている。
【００１９】
つまり、前記操作体８を開放操作することにより、前記回動軸９が回転し、前記駆動部１３が当接連係した従動部１４を押し、前記弾性付勢手段２１の弾性力に抗して支軸２０を回転させ、前記ラッチ１２を内向きに回転変移させて前記筐体１の框部に対する係合を解除するのである。そして、前記操作体８から手を離せば、前記弾性付勢手段２１の弾性力によって、前記ラッチ１２が元の係合状態に戻るとともに、前記操作体８が可動板体２の表面と略平行となった初期の状態に復元するのである。
【００２０】
尚、本実施形態では、前記操作体８の押手部１１を押す操作だけでも前記可動板体２が開放方向へ初期移動をするように、該可動板体２の背面で、前記筐体１の框部やその他の不動部に対面する位置に、弾性的に押圧する開放付勢手段２２を設けている。この開放付勢手段２２としては、図３に示すように、前記可動板体２の背面側に出没するピン２３を圧縮コイルばね２４で突出方向へ弾性付勢した構造のものが例示される。
【００２１】
また、第１実施形態の変形例として図６に示すように、前記操作体８の押手部１１に指当部１８を突設せず、前記ラッチ１２が前記収納庫Ａの筐体１の框部に係合した状態において、前記引手枠６から前記操作体８が全く突出しないようにすることも可能である。この場合には、前記押手部１１の指を当てる部分に表示や小さい滑り止め用の凹凸又は溝を形成することが好ましい。
【００２２】
次に、本発明の第２実施形態を図７〜図１０に基づいて説明する。本実施形態は、前述の第１実施形態と基本的構造は共通するので、異なる部分のみ説明し、その他の共通する構造は、前記同様な符号を付してその説明は省略する。本実施形態では、操作体８の構造として、中央部の回動軸９を挟んで一方側に引手部１０を形成し、他方側に押手部１１を形成するが、該引手部１０の指掛部２５の端縁が前記回動軸９側に配向したものである。つまり、前記操作体８の中央部に前記同様に回動軸９を連結する嵌合部１７を形成し、該嵌合部１７から一方側に前記可動板体２の表面に沿って延びる板状の押手部１１を形成し、該嵌合部１７から他方側に指を挿入する指入れ空間１６を形成するとともに、その離れた側に引手部１０を延設した構造となっている。従って、前記回動軸９の近傍から内部に連続形成した指入れ空間１６に指を挿入し、引手部１０の指掛部２５に指を掛けた状態では、同じ手の指で前記押手部１１を押すことは不可能である。つまり、本実施形態では、前記引手部１０を引く操作か又は前記押手部１１を押す操作の何れか一方の操作のみを選択して行うことになる。
【００２３】
本実施形態では、図８に示すように、前記引手部１０の指掛部２５が、前記引手枠６の開口部７外若しくは前記可動板体２の内部に位置するようにすることが好ましい。本実施形態では、前記引手部１０側の引手枠６の取付縁１５を幅広く形成し、その背後に前記可動板体２の表面板４が重合し、前記引手部１０の指掛部２５は、更にその背後の内部に位置するように設定している。また、本実施形態の押手部１１の端部は、前記引手枠６の開口部７を略埋めるように取付縁１５の近傍まで伸びているので、この押手部１１を誤って引くような操作を防止できる。
【００２４】
【発明の効果】
以上にしてなる請求項１に係る発明のラッチ駆動用引手装置は、収納庫の開閉扉や引出しの前板等の可動板体に取付け、ラッチを解除する駆動機構を備えたラッチ駆動用引手装置であって、前記可動板体の表面側に開口部を向けて引手枠を取付けるとともに、該引手枠内に回動軸の両側に引手部と押手部をそれぞれ設けた操作体を配し、且つ前記回動軸を引手枠の開口部内の適所に設定してなるので、扉や引出しを開放する際に、ラッチを解除するために引手部を引く操作又は押手部を押す操作、あるいは両押し引き同時操作を使い勝手に応じて選択できる機能を備え、しかもその機能を部品点数が少なく簡単な構造にて、コスト上昇を抑制して実現することができる。
【００２５】
請求項２によれば、引手部分とラッチ部分を別々に組立てることができるので、組立工程が簡単になり、また公差に対する基準を下げることができ、製造が容易になる。
【００２６】
請求項３によれば、操作体を一体成形し、同じ回動軸を利用して引手部と押手部を回動操作する構造であるので、構造が単純になり、また組立作業も容易である。
【００２７】
請求項４によれば、押手部を押す際に、可動板体の表面から突出した指当部を押すので操作が容易になるとともに、指当部が押す操作に対する目印になる。
【００２８】
請求項５によれば、引手部を引く操作と押手部を押す操作の何れか一方の操作のみとなるが、操作ミスを皆無にできる。
【００２９】
請求項６によれば、引手部の指掛部が、引手枠の開口部外若しくは可動板体の内部に位置するので、操作性及び外観性が良くなるとともに、引手部を引いた際に可動板体の表面板に当止するので強度が高くなる。
【図面の簡単な説明】
【図１】本発明のラッチ駆動用引手装置を適用した収納庫を示す斜視図である。
【図２】第１実施形態の引手装置を示し、一部破断して示した部分正面図である。
【図３】同じく要部の部分断面図である。
【図４】同じくラッチ解除状態を示す部分断面図である。
【図５】同じくラッチ係合状態を示す部分断面図である。
【図６】第１実施形態の変形例を示す要部の部分断面図である。
【図７】第２実施形態の引手装置を示し、一部破断して示した部分正面図である。
【図８】同じく要部の部分断面図である。
【図９】同じくラッチ解除状態を示す部分断面図である。
【図１０】同じくラッチ係合状態を示す部分断面図である。
【符号の説明】
Ａ  収納庫              １  筐体
２  可動板体            ２ａ  開閉扉
２ｂ  引出しの前板      ３  引手装置
４  表面板              ５  切欠開口
６  引手枠              ７  開口部
８  操作体              ９  回動軸
１０  引手部            １１  押手部
１２  ラッチ            １３  駆動部
１４  従動部            １５  取付縁
１６  指入れ空間        １７  嵌合部
１８  指当部            １９  軸受板
２０  支軸              ２１  弾性付勢手段
２２  開放付勢手段      ２３  ピン
２４  圧縮コイルばね    ２５  指掛部
【図１】
2004270312.tif 000003
【図２】
2004270312.tif 000004
【図３】
2004270312.tif 000005
【図４】
2004270312.tif 000006
【図５】
2004270312.tif 000007
【図６】
2004270312.tif 000008
【図７】
2004270312.tif 000009
【図８】
2004270312.tif 000010
【図９】
2004270312.tif 000011
【図１０】
2004270312.tif 000012